【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
浄化された水及び濃縮体を生成するように給水を浄化するシステムであって、
水域の表面に位置された構造体と、
前記構造体上に設置された浄水化システムであって、１日あたり５，０００から４５０，０００立方メートルのまでの間の浄化された水を産出可能な浄水化システムと、
前記構造体上に設置され、前記浄水化システムに給水源から給水を取り入れる装置を有する取水システムと、
前記構造体上に設置され、前記水域内への濃縮体廃棄についての環境影響を緩和させる手段を有する濃縮体排出システムとを備えたシステム。
【請求項２】
前記水域内への濃縮体廃棄についての環境影響を緩和させる手段は、前記水域に前記濃縮体を排出させる際に前記濃縮体を分散させる手段を有する請求項１に記載のシステム。
【請求項３】
前記水域内への濃縮体廃棄についての環境影響を緩和させる手段は、前記水域に前記濃縮体を排出させる前に前記濃縮体を希釈する手段を有する請求項１又は２に記載のシステム。
【請求項４】
前記水域内への濃縮体廃棄についての環境影響を緩和させる手段は、前記水域に前記濃縮体を排出させる前に前記濃縮体の温度を変更させる手段を有する請求項１から３の何れかに記載のシステム。
【請求項５】
前記構造体から地上の水分配システムに浄化された水を輸送する手段をさらに備えた請求項１から４の何れかに記載のシステム。
【請求項６】
水域の表面に位置された構造体上で浄化された水及び濃縮体を生成するように給水を浄化する方法であって、
前記構造体に給水源から給水を取り入れるステップと、
前記構造体に取り入れられた前記給水を浄化して、濃縮体及び１日あたり５，０００から４５０，０００立方メートルまでの間の浄化された水を生成するステップと、
前記構造体から地上の水分配システムへ前記浄化された水を輸送するステップと、
前記構造体から前記水域内へ前記濃縮体を排出するステップとを有し、前記濃縮体を排出するステップは、前記濃縮体に対し環境への影響を緩和させるステップを行う方法。
【請求項７】
前記濃縮体排出に関する環境への影響を緩和させるステップは、前記水域に前記濃縮体を排出させる際に前記濃縮体を分散させるステップを有する請求項６に記載の方法。
【請求項８】
前記濃縮体排出に関する環境への影響を緩和させるステップは、前記水域に前記濃縮体を排出させる前に前記濃縮体を希釈するステップを有する請求項６又は７に記載の方法。
【請求項９】
前記濃縮体排出に関する環境への影響を緩和させるステップは、前記水域に前記濃縮体を排出させる前に前記濃縮体の温度を変更するステップを有する請求項６から８の何れかに記載の方法。
【請求項１０】
浄化された水及び濃縮体を生成するように給水を浄化するシステムであって、
水域の表面に位置された構造体と、
前記構造体上に設置された浄水化システムであって、１日あたり５，０００から４５０，０００立方メートルまでの間の浄化された水を産出可能な浄水化システムと、
前記構造体上に設置され、前記水域から前記水浄化システムに給水を取り入れる装置を有する取水システムと、
前記構造体上に設置され、前記水域に前記濃縮体を排出する手段を有する濃縮体排出システムとを備え、
前記構造体は、船体を有する船を備え、且つ、前記給水を取り入れる装置は、前記船体に配設されたシーチェストを有するシステム。
【請求項１１】
浄化された水及び濃縮体を生成するように給水を浄化するシステムであって、
水域の表面に位置された構造体と、
前記構造体上に設置された浄水化システムであって、１日あたり５，０００から４５０，０００立方メートルまでの間の浄化された水を産出可能な浄水化システムと、
前記構造体上に設置され、前記水域から前記水浄化システムに給水を取り入れる装置を有する取水システムであって、前記給水を取り入れる装置は、前記構造体から前記水域に延出された取水部材を有する取水システムと、
前記構造体上に設置され、前記構造体から前記水域に前記濃縮体を排出する濃縮体排出口を有する濃縮体排出システムとを備えたシステム。
【請求項１２】
前記取水部材は、前記水域の変温層領域の中又はより下方に延出される請求項１１に記載のシステム。
【請求項１３】
前記排出口は、前記変温層領域より上方に配置される請求項１２に記載のシステム。
【請求項１４】
前記排出口は、前記水域の変温層領域の中又はより下方に延出される請求項１１に記載のシステム。
【請求項１５】
前記取水部材は、前記変温層領域より上方に配置される請求項１４に記載のシステム。
【請求項１６】
前記取水システムは、前記水域の１０メートルより深い深さから前記給水を取り入れるように構成される請求項１０又は１１に記載のシステム。
【請求項１７】
前記システムは、変温層の存在又は位置を検出する計装及びセンサをさらに備えた請求項１０から１６の何れかに記載のシステム。
【請求項１８】
前記システムは、プランクトンの存在又は位置を検出する計装及びセンサをさらに備えた請求項１０から１７の何れかに記載のシステム。
【請求項１９】
水域の表面に位置する船体を有する船上で浄化された水及び濃縮体を生成するように給水を浄化する方法であって、
前記船の船体のシーチェストを介して前記船に前記水域から給水を取り入れるステップと、
前記船に取り入れられた前記給水を浄化して、濃縮体及び１日あたり５，０００から４５０，０００立方メートルまでの間の浄化された水を生成するステップと、
前記船から地上の水分配システムへ前記浄化された水を輸送するステップと、
前記船から前記水域内へ前記濃縮体を排出するステップとを有する方法。
【請求項２０】
水域の表面に位置する構造体上で浄化された水及び濃縮体を生成するように給水を浄化する方法であって、
前記構造体から前記水域に延出された取水部材を介して前記構造体に前記水域から給水を取り入れるステップと、
前記構造体に取り入れられた前記給水を浄化して、濃縮体及び１日あたり５，０００から４５０，０００立方メートルまでの間の浄化された水を生成するステップと、
前記構造体から地上の水分配システムへ前記浄化された水を輸送するステップと、
濃縮体放出口を介して前記構造体から前記水域内へ前記濃縮体を排出するステップとを有する方法。
【請求項２１】
前記給水は、前記水域の変温層領域内又はより下方に位置する取水口から前記構造体に取り入れられる請求項２０に記載の方法。
【請求項２２】
前記濃縮体は、前記変温層領域より上方の領域にある前記放出口を介して放出される請求項２１に記載の方法。
【請求項２３】
前記濃縮体は、前記変温層領域内又はより下方に位置する前記放出口を介して放出される請求項２０に記載の方法。
【請求項２４】
前記給水は、前記水域の変温層領域より上方に位置する取水口から前記構造体に取り入れられる請求項２３に記載の方法。
【請求項２５】
前記給水は、前記水域の１０メートルより深い深さから取水システムにより取り入れられる請求項１９又は２０に記載の方法。
【請求項２６】
変温層の存在又は位置を検出するステップをさらに有する請求項１９から２５の何れかに記載の方法。
【請求項２７】
プランクトンの存在又は位置を検出するステップをさらに有する請求項１９から２６の何れかに記載の方法。
【請求項２８】
浄化された水及び濃縮体を生成するように給水を浄化するシステムであって、
水域の表面に位置された構造体と、
前記構造体上に設置された浄水化システムであって、１日あたり５，０００から４５０，０００立方メートルまでの間の浄化された水を産出可能な浄水化システムと、
前記構造体上に設置され、前記浄水化システムに給水源から給水を取り入れる装置を有する取水システムと、
前記構造体上に設置され、前記水域に前記濃縮体を排出する手段を有する濃縮体排出システムと、
前記構造体上に設置された発電システムと、
前記発電システムで産出された電力を地上の設備に輸送する手段とを備えたシステム。
【請求項２９】
前記発電システムは、１０から１００メガワットの電力を産出可能である請求項２８に記載のシステム。
【請求項３０】
水域の表面に位置する構造体上で浄化された水及び濃縮体を生成するように給水を浄化する方法であって、
前記構造体に給水源から給水を取り入れるステップと、
前記構造体に取り入れられた前記給水を浄化して、濃縮体及び１日あたり５，０００から４５０，０００立方メートルまでの間の浄化された水を生成するステップと、
前記構造体から地上の水分配システムへ前記浄化された水を輸送するステップと、
前記構造体から前記水域内へ前記濃縮体を排出するステップと、
前記構造体上で電力を産出するステップと、
前期構造体上で産出された電力を地上の設備に輸送するステップとを有する方法。
【請求項３１】
前記構造体上で１０から１００メガワットの電力が産出される請求項３０に記載の方法。
【請求項３２】
浄化された水を生成するシステムであって、
水域の表面上に位置された構造体と、
前記構造体上に設置され且つ給水から浄化された水を生成可能な浄水化システムと、
パッケージされた浄水を産出するために前記浄化された水をパッケージするパッケージシステムとを備えたシステム。
【請求項３３】
前記浄化された水をパッケージするパッケージシステムは、前記構造体上に設置される請求項３２に記載のシステム。
【請求項３４】
前記パッケージシステムは、瓶詰設備を有する請求項３２又は３３に記載のシステム。
【請求項３５】
前記パッケージシステムは、複数の保存袋を有する請求項３２又は３３に記載のシステム。
【請求項３６】
前記浄水化システムは、１日あたり５，０００から４５０，０００立方メートルまでの間の浄化された水を産出可能である請求項３２から３５の何れかに記載のシステム。
【請求項３７】
前記給水は、（ａ）前記構造体上に設置され、（ｂ）前記水域の１０メートルより深い深さの領域に延出可能な部材を有する取水システムを用いて前記水域から前記構造体内に取り入れられる請求項３２から３６の何れかに記載のシステム。
【請求項３８】
前記パッケージシステムは、沖合いに位置され、前記浄化された水を生成するシステムは、前記パッケージされた浄水を前記パッケージシステムから地上の設備へ輸送する手段をさらに備えた前記３２から３７の何れかに記載のシステム。
【請求項３９】
水域の表面上に位置された構造体上で産出された浄化された水をパッケージする方法であって、
給水源から前記構造体上に設置された浄水化システムへ給水を取り入れるステップと、
前記浄水化システムに取り入れられた前記給水を浄化し、浄化された水を生成するステップと、
前記浄化された水をパッケージするステップとを有する方法。
【請求項４０】
前記浄化された水をパッケージするステップは、前記構造体上に位置された瓶詰設備において実施される請求項３９に記載の方法。
【請求項４１】
前記浄化された水をパッケージするステップは、前記浄化された水を複数の保存袋に入れるステップを有する請求項３９に記載の方法。
【請求項４２】
前記浄化された水をパッケージするステップは、沖合いで実施される請求項３９から４１の何れかに記載の方法。
【請求項４３】
前記浄化された水をパッケージするステップは、船上で実施される請求項３９から４２の何れかに記載の方法。
【請求項４４】
前記浄化された水をパッケージするステップは、前記構造体上で実施される請求項３９から４２の何れかに記載の方法。
【請求項４５】
前記方法は、１日あたり５，０００から４５０，０００立方メートルまでの間の浄化された水を産出する請求項３９から４４の何れかに記載の方法。
【請求項４６】
沖合い位置から沿岸部に前記パッケージされた浄水を輸送するステップをさらに有する請求項３９に記載の方法。
【請求項４７】
浄化された水及び濃縮体を生成するように給水を浄化するシステムであって、
水域の表面に位置された構造体と、
前記構造体上に設置された浄水化システムであって、１日あたり５，０００から４５０，０００立方メートルまでの間の浄化された水を産出可能な浄水化システムと、
前記構造体上に設置され、給水源から前記水浄化システムに給水を取り入れる装置を有する取水システムと、
前記構造体上に設置され、前記水域に前記濃縮体を排出する手段を有する濃縮体排出システムと、
前記構造体に設置され、前記給水を浄化するシステムの作動における騒音／振動が低減するように作動可能な騒音／振動低減装置とを備えたシステム。
【請求項４８】
浄化された水及び濃縮体を生成するように給水を浄化するシステムであって、
水域の表面に位置された構造体と、
前記構造体上に設置された浄水化システムであって、１日あたり５，０００から４５０，０００立方メートルまでの間の浄化された水を産出可能な浄水化システムと、
前記構造体上に設置され、給水源から前記水浄化システムに給水を取り入れる装置を有する取水システムと、
前記構造体上に設置され、タンク内に貯蔵された水が凍結するのを防止する手段を有する水貯蔵タンクとを備えたシステム。
【請求項４９】
水域の表面上に位置された前記構造体は、プラットフォームである請求項１から５、１１から１５、２８から２９、３２から３８、及び４７から４８の何れかに記載のシステム。
【請求項５０】
水域の表面上に位置された前記構造体は、船体を有する船である請求項１から５、１１から１５、２８から２９、３２から３８、及び４７から４８の何れかに記載のシステム。
【請求項５１】
前記船は、水域に係留される請求項５０に記載のシステム。
【請求項５２】
前記給水源は、前記水域である請求項１から５、２８から２９、３２から３８、及び４７から４８の何れかに記載のシステム。
【請求項５３】
前記水域は、海であり、前記浄水化システムは、前記給水から塩を除去する装置を有する請求項１から５、１０から１８、２８から２９、３２から３８、及び４７から４８の何れかに記載のシステム。
【請求項５４】
水域の表面に位置された前記構造体は、プラットフォームである請求項６から９、２０から２４、３０から３１、３９から４２、及び４６の何れかに記載の方法。
【請求項５５】
水域の表面に位置された前記構造体は、船体を有する船である請求項６から９、２０から２４、３０から３１、３９から４２、及び４６の何れかに記載の方法。
【請求項５６】
前記船は、前記水域に係留される請求項５５に記載の方法。
【請求項５７】
前記給水源は、前記水域である請求項６から９、３０から３１、及び３９から４６の何れかに記載の方法。
【請求項５８】
前記水域は、海であり、前記給水を浄化するステップは、前記給水から塩を除去するステップを有する請求項６から９、１９から２７、３０から３１、及び３９から４６の何れかに記載の方法。